(57)【要約】【課題】電子装置のプリント基板上に付着した異物によって発生する配線の劣化を、複数の劣化レベルに応じて報知を行うことによって、電子装置の故障の予防や防止を行うことが可能な電子装置を提供する。【解決手段】プリント基板を備えた電子装置において、プリント基板の劣化を複数の異なった劣化レベルで検出可能とし、劣化レベルに応じて警告を出力する。これにより、プリント基板の配線の劣化を、複数の劣化レベルに応じて報知することができ、電子装置の故障の予防や防止を行うことが可能となる。【選択図】図１
2015145864.tif 000002
【特許請求の範囲】
【請求項１】
プリント基板を備え、該プリント基板の劣化を検出する機能を有する電子装置であって、
前記プリント基板の劣化を複数の異なった劣化レベルで検出可能な劣化検出回路と、
前記劣化検出回路が検出した劣化レベルに応じて警告を出力する警告出力手段と、
を有することを特徴とするプリント基板の劣化検出機能を有する電子装置。
【請求項２】
前記プリント基板は、少なくとも１つのモニター電極と、該モニター電極と隣接した少なくとも１つの基準電極を備え、
前記劣化検出回路は、
前記モニター電極と前記基準電極との間に所定の電圧を印加する電圧印加手段を有し、
該電圧印加手段によって前記モニター電極と前記基準電極との間に所定の電圧を印加することを特徴とする請求項１に記載のプリント基板の劣化検出機能を有する電子装置。
【請求項３】
前記電圧印加手段は、
前記プリント基板の動作用電源とは異なる電源であることを特徴とする請求項２に記載のプリント基板の劣化検出機能を有する電子装置。
【請求項４】
前記プリント基板は、少なくとも１つのモニター電極と、該モニター電極と隣接した少なくとも１つの基準電極を備え、
前記劣化検出回路は、
前記モニター電極と、該モニター電極と隣接する前記基準電極との間のリーク電流を測定するリーク電流測定部を有し、
該リーク電流測定部が測定したリーク電流と、予め設定した複数の閾値に応じた劣化信号を出力する
ことを特徴とする請求項１に記載のプリント基板の劣化検出機能を有する電子装置。
【請求項５】
前記プリント基板は、少なくとも１つのモニター電極を備え、
前記劣化検出回路は、
前記モニター電極の抵抗値を測定する抵抗値測定部を有し、
該抵抗測定部が測定した抵抗値と、予め設定した複数の閾値に応じた劣化信号を出力する
ことを特徴とする請求項１に記載のプリント基板の劣化検出機能を有する電子装置。
【請求項６】
前記プリント基板は、少なくとも１つのモニター電極を備え、
前記劣化検出回路は、
前記モニター電極の特性インピーダンスを測定する特性インピーダンス測定部を有し、
該特性インピーダンス測定部が測定した特性インピーダンスと、予め設定した複数の閾値に応じた劣化信号を出力する
ことを特徴とする請求項１に記載のプリント基板の劣化検出機能を有する電子装置。
【請求項７】
前記プリント基板は、劣化検出部を備え、
前記劣化検出部は、複数のモニター部を並列に接続し、
前記モニター部は、それぞれ抵抗とモニター電極を直列に接続して構成されており、
前記劣化検出回路は、前記劣化検出部の合成抵抗を測定する抵抗値測定部を有し、
該抵抗測定部が測定した抵抗値と、予め設定した複数の閾値に応じた劣化信号との少なくとも１つを出力する
ことを特徴とする請求項１に記載のプリント基板の劣化検出機能を有する電子装置。
【請求項８】
プリント基板と、劣化検出回路とを備え、
前記プリント基板に、少なくとも１つのモニター電極と、該モニター電極と隣接した少なくとも１つの基準電極を備え、
前記劣化検出回路に、
前記モニター電極と、該モニター電極と隣接する前記基準電極との間のリーク電流を測定するリーク電流測定部を有し、
該リーク電流測定部が測定したリーク電流と、予め設定した複数の閾値に応じた劣化信号を出力するリーク電流検出機構、
プリント基板と、劣化検出回路とを備え、
前記プリント基板に、少なくとも１つのモニター電極を備え、
前記劣化検出回路に、
前記モニター電極の抵抗値を測定する抵抗値測定部を有し、
該抵抗測定部が測定した抵抗値と、予め設定した複数の閾値に応じた劣化信号を出力する抵抗値検出機構、
プリント基板と、劣化検出回路とを備え、
前記プリント基板に、少なくとも１つのモニター電極を備え、
前記劣化検出回路に、
前記モニター電極の特性インピーダンスを測定する特性インピーダンス測定部を有し、
該特性インピーダンス測定部が測定した特性インピーダンスと、予め設定した複数の閾値に応じた劣化信号を出力するインピーダンス検出機構、
プリント基板と、劣化検出回路とを備え、
前記プリント基板に、劣化検出部を備え、
前記劣化検出部は、複数のモニター部を並列に接続し、
前記モニター部は、それぞれ抵抗とモニター電極を直列に接続して構成されており、
前記劣化検出回路は、前記劣化検出部の合成抵抗を測定する抵抗値測定部を有し、
該抵抗測定部が測定した抵抗値と、予め設定した複数の閾値に応じた劣化信号との少なくとも１つを出力する複数抵抗値測定機構のうち、
前記リーク電流検出機構、前記抵抗値検出機構、前記インピーダンス検出機構、前記複数抵抗値測定機構のうちのいずれか複数の機構を用いてプリント基板の劣化検出を行う電子装置。
【請求項９】
前記モニター電極は、該モニター電極上のレジストを削除されていることを特徴とする請求項４から８のいずれかに記載のプリント基板の劣化検出機能を有する電子装置。
【請求項１０】
前記プリント基板は、少なくとも１つのモニター電極と、該モニター電極に隣接した少なくとも１つの基準電極と、前記モニター電極と前記基準電極との間のプリント基板表面に異物トラップ用の凸凹を設けたことを特徴とする、請求項１に記載のプリント基板の劣化検出機能を有する電子装置。
【請求項１１】
前記電子装置は、前記電子装置周囲のミストを特定箇所に集約するミスト集約手段を有し、前記集約手段によりミストが集約された場所に、前記モニター電極が配置されていることを特徴とする請求項４から８のいずれかに記載のプリント基板の劣化検出機能を有する電子装置。
【発明の詳細な説明】
【技術分野】
【０００１】
本発明は電子装置に関し、特に数値制御装置などの電子装置に用いられるプリント基板の劣化検出機能を有する電子装置に関する。
【背景技術】
【０００２】
各種の電子装置に用いられている電気回路、電子回路においては、絶縁材料からなる基板上に導電性材料からなる回路パターンを設けたプリント基板を使用するものが多く用いられている。このようなプリント基板を用いた装置を使用する環境においては、プリント基板は粉じんや切削液などで汚染されて動作不良を生じる場合がある。特に、プリント基板に切削液が付着した状態が長期間続いた場合には、プリント基板上の配線が腐食することがあり、さらに腐食が進むと断線に至って動作不良の原因ともなる。
【０００３】
このようなプリント基板の劣化を検出する方法として、以下の特許文献に挙げるような技術がある。
特許文献１には、プリント基板を備えた制御装置において、プリント基板の最小配線間隔と同間隔以上の劣化検知用配線と、配線間に規定電圧を負荷する電圧印加回路と、配線に接続され絶縁抵抗の低下の有無を検知する劣化判定回路と、絶縁抵抗の低下の有無を検知した信号を積算する積算回路と、積算回路の積算回数に対応して異常信号を発生する異常信号発生回路についての技術が開示されている。
特許文献２には、プリント配線板の劣化、動作不良を検出できるように、ＩＣのピンの一方の入力端子に所定電圧を印加し、他方の入力端子を接地するように接続することで、ＩＣのピン間の絶縁劣化を検出する技術が開示されている。
【０００４】
特許文献３には、プリント板の一部に同電圧におけるパターンにおいて、他の配線より幅の狭いパターンや、絶縁距離の狭いパターンを設け、パターンの腐食による断線やマイグレーション等によるショートなどが、他のパターンよりも確実に最初に起こるようにして、このパターンをセンサとして取り込み保守センタ等へ自動発報する技術が開示されている。
特許文献４には、プリント基板の絶縁劣化検出装置では電極がプリント基板の全面に配設し、プリント基板の絶縁劣化を発見し、絶縁劣化した場合、マイコンから発生する信号をＨレベルにするのを停止して、プリント基板の消費電流を抑える技術が開示されている。
【０００５】
特許文献５には、劣化検出用パターンを劣化検出装置のプリント板上に大気に露出して設け、電源ＶＣＣから抵抗Ｒ０等を介し定電流を流して、Ａ／Ｄコンバータがパタ−ンの両端電圧を検出し判定回路が検出電圧を定期的に解析する。パタ−ンが腐食して細るとＡ／Ｄコンバータの検出電圧が増加する。判定回路が検出電圧が所定のしきい値を越えるとその旨を表示回路に伝え、表示回路は警告の表示又はブザー出力等を行う。オペレータはこの警告に応じプリント板ユニットの保守又は交換を行う技術が開示されている。
特許文献６には、電気機器の外面に設けられた絶縁板の表面に対置され交流電源に接続された一対の電極と、この電極間に流れる電流を検出しあらかじめ設定された値と比較し表示手段にアラーム信号を出力する絶縁特性検出部を備えた沿面絶縁劣化検出装置の技術が開示されている。
【０００６】
特許文献７には、ベース基板表面に電子回路の一部を構成する複数の導体が印刷配線されたプリント基板において、ベース基板表面における電子回路を構成する各導体に対して独立した位置に、両者間に一定の抵抗値と静電容量を有するように、互いに接する事なく近接対向して、一対の電極導体を予め印刷配線して、導体７相互間における短絡に至るまでの時間を予測する技術が開示されている。
特許文献８には、電子回路を構成する導体に対して独立した位置に劣化検出用電極導体を印刷形成し、劣化検出用電極導体で測定した電気的特性の時間的変化から、電子回路を構成する導体の劣化を検出する技術が開示されている。
【先行技術文献】
【特許文献】
【０００７】
【特許文献１】特開２００９−２６４９８９号公報
【特許文献２】特開２００６−１９４０５号公報
【特許文献３】特開２００１−２５１０２６号公報
【特許文献４】特開平１０−２３９３７４号公報
【特許文献５】特開平１０−６２４７６号公報
【特許文献６】特開平８−２２０１５８号公報
【特許文献７】特開平７−２４９８４０号公報
【特許文献８】特開２００１−３５８４２９号公報
【発明の概要】
【発明が解決しようとする課題】
【０００８】
特許文献１〜８に開示されている技術は、絶縁抵抗の低下の有無や、絶縁劣化の検知、抵抗値の低下、電流の検出、電気的特定の変化などから、劣化の検出及び報知を行っている。しかしながら、いずれもその基準値は単一のものであって、複数の劣化レベルに応じて警告を出力するものではない。そのため、劣化の有無を報知するのみであって、劣化の程度などの十分な報知を行うことができないおそれがある。
【０００９】
そこで、本発明の目的は、電子装置のプリント基板上に付着した異物によって発生する配線の劣化を、複数の劣化レベルに応じて報知を行うことによって、電子装置の故障の予防や防止を行うことが可能な電子装置を提供することである。
【課題を解決するための手段】
【００１０】
本願の請求項１に係る発明では、プリント基板を備え、該プリント基板の劣化を検出する機能を有する電子装置であって、前記プリント基板の劣化を複数の異なった劣化レベルで検出可能な劣化検出回路と、前記劣化検出回路が検出した劣化レベルに応じて警告を出力する警告出力手段と、を有することを特徴とするプリント基板の劣化検出機能を有する電子装置が提供される。
請求項１に係る発明では、プリント基板の劣化を複数の異なった劣化レベルで検出することによって、プリント基板の配線の劣化を早い段階で検知したり、劣化の進行具合を検出して警告を行うことが可能となる。
【００１１】
本願の請求項２に係る発明では、前記プリント基板は、少なくとも１つのモニター電極と、該モニター電極と隣接した少なくとも１つの基準電極を備え、前記劣化検出回路は、前記モニター電極と前記基準電極との間に所定の電圧を印加する電圧印加手段を有し、該電圧印加手段によって前記モニター電極と前記基準電極との間に所定の電圧を印加することを特徴とする請求項１に記載のプリント基板の劣化検出機能を有する電子装置が提供される。
請求項２に係る発明では、モニター電極と基準電極との間に所定の電圧を印加する電圧印加手段を設けるようにしたことで、モニター電極のマイグレーションが促進され、プリント基板上の配線の劣化が発生しやすくなり、劣化の検出を確実に行うことができる。
【００１２】
本願の請求項３に係る発明では、前記電圧印加手段は、前記プリント基板の動作用電源とは異なる電源であることを特徴とする請求項２に記載のプリント基板の劣化検出機能を有する電子装置が提供される。
請求項３に係る発明では、モニター電極と基準電極との間に所定の電圧を印加する電圧印加手段として、プリント基板の動作用電源とは異なる電源を用いることによって、モニター電極と基準電極との間に常時電圧を印加することができ、プリント基板上の配線の劣化がより発生しやすくなり、劣化の検出を確実に行うことができる。
【００１３】
本願の請求項４に係る発明では、前記プリント基板は、少なくとも１つのモニター電極と、該モニター電極と隣接した少なくとも１つの基準電極を備え、前記劣化検出回路は、前記モニター電極と、該モニター電極と隣接する前記基準電極との間のリーク電流を測定するリーク電流測定部を有し、該リーク電流測定部が測定したリーク電流と、予め設定した複数の閾値に応じた劣化信号を出力することを特徴とする請求項１に記載のプリント基板の劣化検出機能を有する電子装置が提供される。
【００１４】
本願の請求項５に係る発明では、前記プリント基板は、少なくとも１つのモニター電極を備え、前記劣化検出回路は、前記モニター電極の抵抗値を測定する抵抗値測定部を有し、該抵抗測定部が測定した抵抗値と、予め設定した複数の閾値に応じた劣化信号を出力することを特徴とする請求項１に記載のプリント基板の劣化検出機能を有する電子装置が提供される。
【００１５】
本願の請求項６に係る発明では、前記プリント基板は、少なくとも１つのモニター電極を備え、前記劣化検出回路は、前記モニター電極の特性インピーダンスを測定する特性インピーダンス測定部を有し、該特性インピーダンス測定部が測定した特性インピーダンスと、予め設定した複数の閾値に応じた劣化信号を出力することを特徴とする請求項１に記載のプリント基板の劣化検出機能を有する電子装置が提供される。
【００１６】
本願の請求項７に係る発明では、前記プリント基板は、劣化検出部を備え、前記劣化検出部は、複数のモニター部を並列に接続し、前記モニター部は、それぞれ抵抗とモニター電極を直列に接続して構成されており、前記劣化検出回路は、前記劣化検出部の合成抵抗を測定する抵抗値測定部を有し、該抵抗測定部が測定した抵抗値と、予め設定した複数の閾値に応じた劣化信号との少なくとも１つを出力することを特徴とする請求項１に記載のプリント基板の劣化検出機能を有する電子装置が提供される。
【００１７】
請求項４〜７に係る発明では、モニター電極の、リーク電流、抵抗値、特性インピーダンス等を測定して、複数設定した閾値に応じて劣化信号を出力することで、プリント基板の配線の劣化を早い段階で検知したり、劣化の進行具合を検出して警告を行うことが可能となる。
【００１８】
本願の請求項８に係る発明では、プリント基板と、劣化検出回路とを備え、前記プリント基板に、少なくとも１つのモニター電極と、該モニター電極と隣接した少なくとも１つの基準電極を備え、前記劣化検出回路に、前記モニター電極と、該モニター電極と隣接する前記基準電極との間のリーク電流を測定するリーク電流測定部を有し、該リーク電流測定部が測定したリーク電流と、予め設定した複数の閾値に応じた劣化信号を出力するリーク電流検出機構、プリント基板と、劣化検出回路とを備え、前記プリント基板に、少なくとも１つのモニター電極を備え、前記劣化検出回路に、前記モニター電極の抵抗値を測定する抵抗値測定部を有し、該抵抗測定部が測定した抵抗値と、予め設定した複数の閾値に応じた劣化信号を出力する抵抗値検出機構、プリント基板と、劣化検出回路とを備え、前記プリント基板に、少なくとも１つのモニター電極を備え、前記劣化検出回路に、前記モニター電極の特性インピーダンスを測定する特性インピーダンス測定部を有し、該特性インピーダンス測定部が測定した特性インピーダンスと、予め設定した複数の閾値に応じた劣化信号を出力するインピーダンス検出機構、プリント基板と、劣化検出回路とを備え、前記プリント基板に、劣化検出部を備え、前記劣化検出部は、複数のモニター部を並列に接続し、前記モニター部は、それぞれ抵抗とモニター電極を直列に接続して構成されており、前記劣化検出回路は、前記劣化検出部の合成抵抗を測定する抵抗値測定部を有し、該抵抗測定部が測定した抵抗値と、予め設定した複数の閾値に応じた劣化信号との少なくとも１つを出力する複数抵抗値測定機構のうち、前記リーク電流検出機構、前記抵抗値検出機構、前記インピーダンス検出機構、前記複数抵抗値測定機構のうちのいずれか複数の機構を用いてプリント基板の劣化検出を行う電子装置が提供される。
【００１９】
請求項８に係る発明では、請求項４〜７に挙げたリーク電流測定部、抵抗値測定部等のうちの複数の測定部を用いて劣化検出を行うことによって、劣化の検出精度を高めることが可能となる。
【００２０】
本願の請求項９に係る発明では、前記モニター電極は、該モニター電極上のレジストを削除されていることを特徴とする請求項４から８のいずれかに記載のプリント基板の劣化検出機能を有する電子装置が提供される。
請求項９に係る発明では、モニター電極上のレジストを削除する構成としているため、配線が腐食しやすくなり、配線の劣化の検出を行いやすくなる。
【００２１】
本願の請求項１０に係る発明では、前記プリント基板は、少なくとも１つのモニター電極と、該モニター電極に隣接した少なくとも１つの基準電極と、前記モニター電極と前記基準電極との間のプリント基板表面に異物トラップ用の凸凹を設けたことを特徴とする、請求項１に記載のプリント基板の劣化検出機能を有する電子装置が提供される。
請求項１０に係る発明では、プリント基板表面に異物トラップ用の凸凹を設けるようにしたことで、プリント基板上に異物がたまりやすくなる。これにより、異物の検出がしやすくなったり、配線の腐食が起こりやすくなり、配線の劣化の検出を行いやすくなる。
【００２２】
本願の請求項１１に係る発明では、前記電子装置は、前記電子装置周囲のミストを特定箇所に集約するミスト集約手段を有し、前記ミスト集約手段によりミストが集約された場所に、前記モニター電極が配置されていることを特徴とする請求項４から８のいずれかに記載のプリント基板の劣化検出機能を有する電子装置が提供される。
請求項１１に係る発明では、空気中のミストが集約される箇所に前記モニター電極を配置することにより、ミストの付着を初期段階で検出することができる。
【発明の効果】
【００２３】
本発明により、電子装置のプリント基板上に付着した異物によって発生する配線の劣化を、複数の劣化レベルに応じて報知を行うことによって、電子装置の故障の予防や防止を行うことが可能な電子装置を提供できる。
【図面の簡単な説明】
【００２４】
【図１】第１の実施形態のプリント基板の劣化検出機能を有する電子装置の概略を示すブロック図である。
【図２】リーク電流測定部の内部構成と、リーク電流の変動の様子を示した図である。
【図３】警告表示部に表示される警告の例を示した図である。
【図４】第２の実施形態における抵抗値測定部の内部構成と、抵抗値の変動の様子を示した図である。
【図５】第３の実施形態におけるインピーダンス測定部の内部構成を示した図である。
【図６】第４の実施形態における抵抗値測定部の内部構成と、抵抗値の変動の様子を示した図である。
【図７】第５の実施形態のプリント基板の劣化検出機能を有する電子装置の概略を示すブロック図である。
【図８】第６の実施形態におけるモニター電極を示した図である。
【図９】第７の実施形態におけるモニター電極を示した図である。
【図１０】第８の実施形態におけるモニター電極の配置場所を示した図である。
【発明を実施するための形態】
【００２５】
（第１の実施形態）
以下、本発明の実施形態を図面に基づいて説明する。図１は、本実施形態のプリント基板の劣化検出機能を有する電子装置の概略を示すブロック図である。本実施形態の電子装置は、劣化検出回路１０と警告出力回路２０と警告表示部３０とから構成されており、劣化検出回路１０内部には、リーク電流測定部１２と、劣化検出部１００が設けられている。劣化検出部１００は、プリント基板上に配置された配線１２０と、この配線１２０に並走する配線を接地した基準電極１１０と、配線１２０と基準電極１１０との間に電圧を印加する電圧印加手段１３０とから構成されている。
【００２６】
図２（ａ）は、リーク電流測定部１２の内部構成を示した図である。リーク電流測定部１２は、内部に電流計１１２と、閾値検出回路１１４とを備えている。電流計１１２は、プリント基板上に配置された配線１２０に接続され、配線１２０のリーク電流を測定する。閾値検出回路１１４は、電流計１１２に接続されており、図２（ｂ）にグラフとして示されているように、予め定められた複数の閾値との比較に基づき、複数種類の劣化信号（本実施形態においては３種類）を出力する。本実施形態においては、図１に示されているように、閾値を１００ｎＡ、１μＡ、１０μＡの３つに設定して、それぞれの閾値を超えた場合に異なる劣化信号を出力している。
【００２７】
電圧印加手段１３０は、基準電極１１０と配線１２０との間に電圧を印加することによって、プリント基板上に配置された配線１２０のマイグレーションを促進して、配線１２０の劣化を起きやすくする機能を有している。電圧印加手段１３０によって印加する電圧値は、劣化検出回路１０が実装されたプリント基板上で使用されている電圧値、一例として２４Ｖ、１５Ｖ、１２Ｖ、５Ｖ、３．３Ｖ、２．５Ｖ、１．８Ｖ、１．５Ｖ等の電圧値を用いることができるが、マイグレーション促進の観点からは、高い電圧を印加するようにすることが好ましい。また、図１においては、電圧印加手段１３０を模式的に示しているが、電圧印加手段１３０として、電子装置の動作電源と同じものを用いることもできるし、電子装置の動作電源とは別に、基準電極１１０と配線１２０との間に印加する専用の電源を用いることも可能である。電子装置の動作電源とは別に電源を設ける手法としては、プリント基板上に実装された電池やスーパーキャパシタによる方法や、外部に設置された電源によって印加することが可能である。
【００２８】
警告出力回路２０は、劣化検出回路１０のリーク電流測定部１２から出力された劣化信号に応じて警告表示部３０に警告を出力する。警告表示部３０は、警告出力回路２０から出力された警告を表示する。図３は、警告表示部３０に表示される警告の例を示したものであり、リーク電流の値が１００ｎＡを超えたときには、最も軽い警告であるウォーニング１として、プリント基板上に異物が付着しています。パッキンの状態を確認してください。という警告が表示される。
【００２９】
次に、さらにリーク電流の値が増加して１μＡとなると、中程度の警告であるウォーニング２として、プリント基板上のパターンの劣化が始まっています。プリント基板の洗浄を実施してください。という警告が表示される。
さらにリーク電流の値が増加して１０μＡとなると、最も重い警告であるウォーニング３として、プリント基板を交換してください。という警告が表示される。
これにより、劣化レベルに応じて異なる警告が表示され、作業者がプリント基板の劣化具合を適切に把握することが可能となる。また、本実施形態においては、警告表示部３０として、表示装置にメッセージを表示する構成としているが、表示装置へのメッセージの表示に代えて、ランプの点灯によって報知を行うようにすることも可能である。
【００３０】
なお、本実施形態においては、モニター電極として、プリント基板上の一部に配置された配線を用いているが、プリント基板の外周に長く配置することも可能である。
【００３１】
また、本実施形態の劣化検出部１００においては、配線１２０の劣化促進のために、配線１２０と基準電極１１０との間に電圧印加装置１３０によって電圧を印加しているが、電圧印加装置１３０を設けずに、配線１２０のリーク電流を測定する構成とすることも可能である。
【００３２】
（第２の実施形態）
本実施形態は、第１の実施形態におけるリーク電流測定部１２に代えて、抵抗値測定部１４を用いる点が、第１の実施形態と異なっており、その他の基本的な構成については、第１の実施形態と同様の構成である（以下の実施形態についても同様）。図４（ａ）は、抵抗値測定部１４の内部構成を示した図である。抵抗値測定部１４は、抵抗値測定器１２２と、閾値検出回路１２４とを備えている。抵抗値測定器１２２は、プリント基板上に配置された配線１２０に接続され、配線１２０の抵抗値を測定する。閾値検出回路１２４は、抵抗値測定器１２２に接続されており、図４（ｂ）にグラフとして示されているように、予め定められた複数の閾値との比較に基づき、複数種類の劣化信号（本実施形態においては３種類）を出力する。閾値を超えた際の警告出力回路２０の動作や、警告表示部３０におけるメッセージ態様については、第１の実施形態と同様である。
【００３３】
（第３の実施形態）
本実施形態は、第２の実施形態における抵抗値測定部１４に代えて、インピーダンス測定部１６を用いる点が、第２の実施形態と異なっている。図５は、インピーダンス測定部１６の内部構成を示した図である。インピーダンス測定部１６は、インピーダンス測定器１３２と、閾値検出回路１３４とを備えている。インピーダンス測定器１３２は、プリント基板上に配置された配線１２０に接続され、配線１２０特有の特性インピーダンスを測定する。閾値検出回路１３４は、インピーダンス測定器１３２に接続されている。予め定められた複数の閾値との比較に基づき、複数種類の劣化信号を出力する点については、第２の実施形態と同様であり、閾値を超えた際の警告出力回路２０の動作や、警告表示部３０におけるメッセージ態様については、第１の実施形態や第２の実施形態と同様である。
【００３４】
（第４の実施形態）
本実施形態は、図６（ａ）に示されているように、第２の実施形態における抵抗値測定部１４を、抵抗（ｒ１、ｒ２、ｒ３）と劣化検出部１００とを直列に接続したモニター部を、並列に接続して構成した点が第２の実施形態と異なっている。各劣化検出部１００は、配線１２０の幅を段階的に変化させて構成されている。そして、各劣化検出部１００における合成抵抗を測定し、測定した合成抵抗と予め設定した閾値に応じて劣化信号を警告出力回路に出力する。各配線１２０の幅を段階的に変化させることによって、各配線１２０が段階的に劣化していき、図６（ｂ）のグラフに示されているように、段階的に抵抗値が変化して、劣化の進行具合が把握しやすくなる。
【００３５】
（第５の実施形態）
本実施形態は、図７に示されているように、リーク電流測定部１２と、抵抗値測定部１４の２つを用いて劣化検出を行っている点を特徴としている。それぞれのリーク電流測定部１２及び抵抗値測定部１４の構成は、第１の実施形態及び第２の実施形態において用いられるリーク電流測定部１２及び抵抗値測定部１４と同様の構成とし、警告出力回路２０において、劣化の初期段階においては、リーク電流測定部１２から出力されたリーク電流の値を用い、劣化が進んだ段階においては、抵抗値測定部１４から出力された抵抗値の値を用いて警告を出力するように構成されている。
【００３６】
パターン配線の劣化の初期段階においては、リーク電流を測定することによって、劣化の発生を知ることができるが、リーク電流が一定でも、パターン配線の劣化が進行することがあるため、リーク電流を測定することで、パターン劣化の進行具合を直接知ることが難しい場合がある。これに対して、モニター電極の抵抗値を測定することは、パターン劣化の進行具合を直接知るのに有効な方法であるが、劣化の状態が軽微な初期段階では、抵抗値の低下を検出することが難しい場合がある。
【００３７】
そのため、本実施形態においては、リーク電流測定回路と、モニター電極の抵抗値を測定する回路がそれぞれ出力する劣化信号に応じて、リーク電流測定回路からの出力、抵抗値測定部からの出力のいずれかの信号に応じた警告を出力する。これにより、より検出の精度を高めることが可能になる。こうすることで、パターンの劣化の初期段階はリーク電流測定回路からの信号で基板の状態の確認を指示する警告を出し、パターンの劣化がかなり進んだ段階ではモニター電極の抵抗値を測定する回路からの信号で基板の洗浄を促す警告を出すことが可能になり、ユーザがそれぞれの状態に応じた対応を取ることが可能になる。
【００３８】
なお、本実施形態においては、リーク電流測定回路と、抵抗値測定回路を用いた例で説明したが、第３の実施形態で用いているインピーダンス測定回路や、第４の実施形態で用いている複数段の抵抗値測定回路等のうちから、適宜選択して組み合わせて構成することによって、劣化検出の精度を向上させることが可能である。
【００３９】
（第６の実施形態）
本実施形態においては、これまでの実施形態において用いられていたモニター電極の表面のレジストを削除する点を特徴としている。モニター電極表面のレジストの削除は、図８（ａ）に示されているように、モニター電極上部のレジストをすべて削除してもよいし、図８（ｂ）に示されているように、スリット状に一部を削除してもよい。レジストを削除する方法としては、単純にレジストを削除してもよいし、ストリッパブルレジストを用いて削除してもよい。
本実施形態のようにレジストを削除することによって、モニター電極が劣化しやすくなり、劣化の検出を行いやすくすることが可能となる。特に、ストリッパブルレジストを用いる場合には、モニター電極にソルダーコートも付着していないため、さらにモニター電極が劣化しやすくなる。
【００４０】
（第７の実施形態）
本実施形態においては、図９に示されているように、これまでの実施形態において用いられてきたモニター電極どうしの間に凹凸を設ける点を特徴としている。モニター電極のリーク電流や抵抗値等を測定して警告出力回路において劣化を判定する点は、これまでの実施形態と同様である。
図９に示されたモニター電極においては、モニター電極の間のレジストを削除して溝を設けている。これにより、異物１５０が溝に入り込みやすくなり、モニター電極のリーク電流や抵抗値が変化しやすくなったり、モニター電極が劣化しやすくなる。モニター電極どうしの間に凹凸を設ける方法としては、図９に示された溝を設ける方法の他に、モニター電極の上部にモニター電極に沿ってシルク印刷を配置する方法などでもよい。
【００４１】
（第８の実施形態）
本実施形態においては、図１０に示されているように、電子装置２００はミスト２３０を特定箇所に集約する手段を有しており、本手段によりミスト２３０が集約された箇所に、これまでの実施形態において用いられてきたモニター電極２４０を配置することを特徴としている。
ミスト２３０を特定箇所に集約する手段としては、電子装置２００が有する送風手段（冷却ファン２５０）と、その送風手段（冷却ファン２５０）により集められた空気中のミスト２３０を特定箇所に誘導するガイド部２２０を有する筐体２１０によって実現する方法がある。特定箇所とは、筐体２１０のガイド部２２０により誘導されるプリント基板上の任意の一部分であるが、電子装置２００の動作に影響を与えることないよう、電子部品や配線が配置されていない箇所であることが望ましい。なお、ミスト２３０とは、電子装置の周囲を浮遊する切削液やゴミ等である。
モニター電極のリーク電流や抵抗値等を測定して警告出力回路において劣化を判定する点は、これまでの実施形態と同様である。
【符号の説明】
【００４２】
１０  劣化検出回路
１２  リーク電流測定部
１４  抵抗値測定部
１６  インピーダンス測定部
２０  警告出力回路
３０  警告表示部
１００  劣化検出部
１１０  基準電極
１１２  電流計
１１４  閾値検出回路
１２０  配線
１２２  抵抗値測定器
１２４  閾値検出回路
１３０  電圧印加手段
１３２  インピーダンス測定器
１３４  閾値検出回路
１５０  異物
２００  電子装置
２１０  筐体
２２０  （ミストを誘導する）ガイド部
２３０  ミスト
２４０  モニター電極
２５０  送風手段（冷却ファン）
２６０  送風経路
２７０  風
【図１】
2015145864.tif 000003
【図２】
2015145864.tif 000004
【図３】
2015145864.tif 000005
【図４】
2015145864.tif 000006
【図５】
2015145864.tif 000007
【図６】
2015145864.tif 000008
【図７】
2015145864.tif 000009
【図８】
2015145864.tif 000010
【図９】
2015145864.tif 000011
【図１０】
2015145864.tif 000012